(57)【要約】【課題】  本考案は、従来の一般照明・信号照明における点灯はランプと電線配線を伴なう通常、商用電源による単なる自動切替・センサー操作により行はれて来た、このランプ分散型からランプをセンター設置としてランプ光源＆太陽光の直射採光による一括配光で省エネ効果の最大限活用を実現することを目的とするものである。【解決手段】  本考案は、固定センターポストにランプ光源を設け、光ファイバースコープ式により各灯具に一括配光する、他  太陽光の集光器採光をセンターライトとして前記同様光ファイバースコープ式を経由の上、各単灯具へ一括配光する事で昼間照明にも役立つ、又、センターポスト内の回転着色帯リングによる青・黄・赤矢印色配光をタイムサイクルで順次送光させる事で信号装置システムとしても汎用が可能となり省エネメリットとして活かされる、尚、ソーラー電源との自動切替装置により、あらゆる突発事故停電時・緊急非常時等も対応出来る。【選択図】図１
0003137509.tif 000002
【実用新案登録請求の範囲】
【請求項１】
センターランプ式による白色ｏｒ昼光色等により屋内外の照明用省エネ向として取込みファイバースコープを経由して、同時に多数の常用照明器具に配光する即ち、商用電源で一般常夜灯として活用し乍ら、日照時間帯にはシステム切替で太陽採光により配光分布を行う、又、商用電源が停電した場合には、ソーラー電源との連繋により非常灯としても役立つことになるが、これを多目的に応用する事において、
（１）センターライトの光源として自動照準に合わせた多角面鏡レンズ焦点集光器により採光照射する太陽光利用法で得たものを融着分岐で配光分岐・分配し乍らファイバースコープの端末部に接着した光コネクター等により受光する採光用ライトの単灯具として活用する。
（２）従来型の商用電源照明用灯具に  前述の太陽光利用法によるハイバー光源を複合併用灯具として設ける事で昼間の日照時間帯は省エネ用として使用し非日照時間帯には、一般照明用灯具として兼用使用が可能となる様にする尚、商用電源が停電した場合には、ソーラー電源・蓄電装置との連繋により一般家庭・各種住宅設備・避難時の非常灯回路としても有効な設備となる。
【請求項２】
高輝度ランプ複数個を設置した光源から光ファイバースコープ経由の採光照射を着色帯リングのフイルム等を透過した光を送る事で単灯具信号用シグナルとする事が可能となる、尚、商用電源が停電した場合には、ソーラー電源との連繋により作動させる事も出来る
（１）センターランプ式として複数ランプとソケットを安定させた同心円上に設置し、その外周同心円に合わせて円筒形に製作した着色帯リング即ち青・黄・赤・矢印用等の着色フイルム又は、着色ステンドガラス等を信号のタイムサイクルに合わせて可変速超低速シンクロナスモーターにより円周回転させる、この色区画の遮光用をセパレートで行ひ乍ら尚、その外周を透明なアクリル板・強力ポリカーポナイト等の円形固定コアーで囲い、この固定コアー側板より夫々の色別区画内に吸盤付接着した発光ファイバースコープ経由の採光照射を単灯具へ青・黄・赤・矢印色等による光を多眼レンズ仕様とした単灯具へ配光する、これを交互反転にして送る事で信号用シグナルとなる、即ち、色別灯具を使用せずに単灯具式として可動する。
（２）上記同様内容によりファイバースコープ経由の採光照射を赤・黄及び青・赤の反転タイプ・時差点滅サイクル、センサー付タイマー自動等とする事で点滅交差点等の他、鉄道系にも応用が可能とする事が出来る
以上の構成からなるセンターライトエコシステム。
【考案の詳細な説明】
【技術分野】
【０００１】  本考案は、一般照明器具・非常用・信号用灯具を光源として商用電源によるランプと太陽光直射採光の利用による光ファイバースコープとした各灯具、その配線方法において従来の電線による配線並びに色標識系統別配線を替えて、光ファイバー光線による配光に関するものである。
【背景技術】
【０００２】  日常の一般照明・信号照明等に付いては、概ね商用電源により利用され灯具及び、配線も回路毎に接続されており信号灯は色別ランプ毎に灯具を必要とし、その配線も多岐に亘つて居り、非常灯も別設備としているのが現状である。
【考案の開示】
【考案が解決しようとする課題】
【０００３】  省エネをシステム化させる方策として光源をセンターランプとして設けこれにより採光したものを光ファイバーを経由して各複数灯具に同時配光させる事で消費電力の削減と、信号灯具の単灯具化を図る、これにより一交差点当たり概ね３４〜７０灯分を減灯させる、又、従来の一般照明の一部分をセンターランプに替えて配光する事で、一括配光が可能となり非常用照明を兼用とした器具ともなる、尚、日照時間帯の太陽光採光を活用したシステム灯具によりプロセスメリットを実現する事を目的とし乍ら前述の欠点を解決しようとするものである。
【課題を解決するための手段】
【０００４】  本考案は、一般住宅・集合住宅等の屋内・外照明用としては、この光線をそのまま光ファイバーを経由して各単独・併用灯具夫々に送光する、又、緊急・災害等停電時には、自動切り替えで多角面鏡レンズによる集光ライト及び、ソーラー電源・蓄電装置との連繋により稼動をスムーズに行う、尚、センターランプ式として、この光線を着色帯リングの着色フイルムｏｒ着色ステンドガラスを透過させ乍らタイムサイクルに合わせて可変速超低速シンクロナスモーターにより回転し乍ら、この外周に円筒形固定コアーにアクリル板ｏｒ透明強化ポリカーポナイトを使用してこれに吸盤付ファイバー接着パーツを経て光ファイバーで信号灯具に送光する、
即ち、トータル的な低コスト化を図ると共に、このことにより問題点を解決している。
【考案の効果】
【０００５】  上述の様に、本考案の効果は一般住宅・集合住宅等の屋内・外照明設備費、及び、各種信号設備等の省資源・省エネ対策として効果的であり特に一般道路・歩道用共３灯連結用を１灯用灯具に削減が図れる、これにより従来の３灯１連器具ｏｒ２灯１連器具を一交差点毎に全て、センターランプのみで可能とする、即ち、現状は一交差点当たり１２〜１６〜２４連程度を基準として、各３色宛ランプ数にして３６〜７２灯有るものを全て１／３以下の灯具数・ランプ数共大幅に減少出来るのでその維持費にも縮小が図れる従ってシステム化装置として役立つものである。
上述したように本考案のもたらすメリットを下記に列記する、
ａ  取付灯具及び、ランプ数の削減により通常操作時における大幅な節電・省エネを図る事が出来る事となる、
ｂ  灯具の簡略化に伴なう支持物及び、建設に伴なう設備工事費等の大幅減となる
ｃ  ランニングコスト・メンテナンス費・維持費がかなり低減される
ｄ  エネルギー消費の低減による地球環境改善に寄与出来る
ｅ  災害時・緊急時等の停電時に自動切り替えで対応ができる、
ｆ  日照時間帯における太陽光の受採光の活用でメリットが生まれる、
ｇ  トータルコストの低下とエネルギー等諸資源の有効活用による総合的な延命策となる、
ｈ  消耗品等の延命にも繋がる国家的メリットが得られるものである
【考案を実施するための最良の形態】
【０００６】  室内の任意ケ所に設置した固定センターポスト内に光源としてセンターランプ又は、センターライト式とした、フアイバースコープ配光による事で、従来の配線系統＋ランプによる事なく配光を照射出来る、尚、前記の基点位置に太陽光による日照集光器装置による直射光の取込とソーラー発電・蓄電装置を施設する事で、単灯具としての照明用の配光ライトｏｒ信号用ライトとして役立ち省エネ化が可能となる、尚、日照時間帯における太陽光の集光器装置による配光ライトは、センサー付ルクス計により光源のルクスレベルによって商用電源によるセンターランプと切り替える事で一定ルクスを保つ事が出来る、即ち、センターランプとセンターライト式との併用器具の設置により一層至便となる、昼夜間の照明用として太陽光によるファイバーライト専用器具を屋内外に施設する他、従来の一般照明灯具をファイバーライトとの併用灯具に替えて配置する。【０００７】  一般道路・歩道のある交差点の基点位置にセンターポストを施設して上記のフアイバースコープ配光により従来の色別信号連用灯具をセンターライト式の信号単灯具に替えて、送光する事で信号灯とする。
【実施例１】
【０００８】  従来の一般照明灯具をファイバーライト単灯具＆併用灯具に替えて配置する即ち、固定センターポスト内にセンターランプ又は、センターライト式とした光源を設ける  太陽光集光器採光装置ソーラー発電・蓄電装置を設置し昼夜間の照明用としてファイバーライト、即ち、太陽光による併用灯具を屋内外に施設する。【０００９】  以下、添付図面に従って実施例を説明する、１は９固定センターポスト内の１ベース上に１９固定板を止めて  同心円上に２センターランプ＆ソケットを取付安定させる．２はこれを囲う様に７円筒形固定コアーとする８透明強化ポリカーポナイトｏｒアクリル板を配す、５は上記固定コアーの側壁に１１吸盤付ファイバー接着パーツ及び、１４光ファイバースコープ・複数回線を経由して単灯具・併用灯具へ配光する。
【実施例２】
【００１０】  従来の色別信号用連灯具に替えて単灯具とする、即ち、一般道路・歩道のある交差点の基点位置にセンターポスト＆センターライト式とした光源を設ける、このポスト内に光源の周囲を走馬灯の様に回転する着色帯リングを透過した配光ライトを光ファイバースコープを経由して信号用単灯具へ送光する【００１１】  以下、添付図面に従って実施例を説明する、１は９センターポスト内の１ベース上内に１９固定板を止めて１０可変速超低速シンクロナスモーター＆１５シャフト・１８軸受を中芯として配す、２は同心円上に２センターランプ＆ソケットを複数取付安定させる、３はこれを囲う様に回転する４着色帯リングとなる８透明強化ポリカーポナイトｏｒアクリル板をベースに３着色ステンドガラスｏｒ着色フイルム等を透過させ乍ら、更に４はその外周を同心円として７円筒形固定コアーとする８透明強化ポリカーポナイトｏｒアクリル板を配す、５は上記固定コアーの側壁に１１吸盤付ファイバー接着パーツ及び、１４光ファイバースコープ・複数回線を経由して信号用単灯具へ配光する。
【実施例３】
【００１２】  以下、添付図面に従って実施例を説明する、１は１３多角面鏡レンズを最良好な集光角度・朝・昼・夕陽方向の１６ファイバーライトとしてセットし、この光束を１２センターライトに集中させ乍ら１４光ファイバースコープ・複数回線を経由して９固定センターポスト及び、固定コアーの側壁にある１１吸盤付ファイバー接着パーツ等を経由して単灯具・併用灯具・信号用単灯具へ配光する。
【図面の簡単な説明】
【００１３】
【図１】  本考案の実施形態を示す  センターポストの平面図
【図２】  本考案の実施形態を示す  センターポスト側面の断面図
【図３】  単灯具平面図
【図４】  単灯具正面図
【図５】  太陽光受光部  平面図
【図６】  太陽光受光部  側面図
【図７】  本考案の実施形態を示す  固定センターポストの平面図
【図８】  本考案の実施形態を示す  固定センターポスト側面の断面図
【図９】  単灯具  平面図  側面図
【図１０】  単灯具  正面図
【図１１】  併用灯具  平面図  側面図
【図１２】  併用灯具  正面図
【符号の説明】
【００１４】  １  ベース
２  センターランプソケット
３  着色フイルムｏｒ着色ステンドガラス
４  着色帯リング
５  遮光用セパレート
６  センターシールドカバー
７  円筒形固定コアー
８  透明強化ポリカーポナイトｏｒアクリル板
９  センターポスト
１０  可変速超低速シンクロナスモーター
１１  吸盤付ファイバー接着パーツ
１２  センターライト
１３  多角面鏡レンズ・朝・昼・夕陽方向
１４  光ファイバースコープ・複数回線
１５  シンクロナスモーターシャフト
１６  ファイバーライト
１７  センサー付ルクス計
１８  軸受
１９  固定坂
２０  多眼レンズ仕様付単灯具
２１  １〜８分岐ソケット
２２  ファイバーパーツＬ  Ｌ  ２・３・４・５  １５・２０・２５・３０ｍ
２３  着色帯リング回転方向
【図１】
0003137509.tif 000003
【図２】
0003137509.tif 000004
【図３】
0003137509.tif 000005
【図４】
0003137509.tif 000006
【図５】
0003137509.tif 000007
【図６】
0003137509.tif 000008
【図７】
0003137509.tif 000009
【図８】
0003137509.tif 000010
【図９】
0003137509.tif 000011
【図１０】
0003137509.tif 000012
【図１１】
0003137509.tif 000013
【図１２】
0003137509.tif 000014
【手続補正書】
【提出日】平成19年7月17日(2007.7.17)
【手続補正１】
【補正対象書類名】実用新案登録請求の範囲
【補正対象項目名】全文
【補正方法】変更
【補正の内容】
【実用新案登録請求の範囲】
【請求項１】
センターライト１２として高輝度ランプ複数個を設置した光源から回転する吸盤付ファイバー接着パーツ１１・光ファイバースコープ１４経由の採光照射を着色帯リング４の着色フイルム等を透過した光を送る事で単灯具信号用シグナルとする事が可能となる、尚、商用電源が停電した場合には、ソーラー電源との連繋により点灯作動させる事も出来る即ち、走馬灯タイプ様の回転シールド付センターポストとして
（１）  安定させた固定ベース１の同心円上にセンターライト１２として複数ランプとソケット２を設置する
（２）  上記の外周同心円に合わせて円筒形に製作したセンターシールドカバー６に着色帯リング４に貼付した青・黄・赤・矢印用等の着色フイルム３又は、着色ステンドガラス３等を進路・対抗車線・右左折車線・歩道用等の時差に併せて曲長を合わせセットし貼合わす、これにセンターライト１２の光線を透過させる
（３）  可変速超低速シンクロナスモーター１０により信号のタイムサイクルに合わせてセンターライト１２の円周を回転させる
（４）  上記の着色区画内の色光線を混色しない様にする為遮光用セパレート５で区分
（５）  その外周を透明強化ポリカーボナイト・アクリル板８等の円形固定コアー７で囲う
（６）  この円形固定コアー７の側板より夫々の色別区画内に吸着した吸盤付ファイバー接着パーツ１１と融着分岐ソケット１７により分岐した光線を夫々の光ファイバースコープ１４により送光する
（７）  上記の青・黄・赤・矢印色等とした採光照射を所定の時差タイムラグで単灯具とした信号灯へ配光する即ち、センターシールドカバー６と着色帯リング４の回転により転色させて、従来の３色連灯具であったものを単灯具のみとして配光する
（８）  単灯具は多眼レンズ仕様としたもの及び集光型とする
（９）  夫々異なる信号交差点の固有条件にマッチングさせた信号機のタイム・サイクルに着色区画を合致させて円形形の固定コアー７に１１・１７・１４をセットしたものに透過した配光を反復繰り返して送る事で信号用シグナルとなる即ち、３色別灯具を使用せずに単灯具式として可動する
（１０）上記同様内容により光ファイバースコープ１４経由の採光照射を赤・黄と青・赤の自動タイマー・時差点滅サイクルの反転タイプ等とする事で点滅交差点等の他、鉄道系にも応用が可能とする事が出来る
以上の構成からなるセンターライトエコシステム。
【請求項２】
センターライト１２により屋内外の照明用省エネ向として光ファイバースコープ１４を経由して取込み、同時に多数の常用照明器具に配光する即ち、原則として商用電源で一般常夜灯として活用し乍ら、商用電源が停電した場合には、ソーラー電源との連繋により非常灯としても活かせる、尚、日照時間帯にはシステム切替で太陽採光により直接配光分布を行う事も可能とする静止型のセンターポストとして
（１）  安定させた固定ベース１の同心円上にセンターライト１２として複数ランプとソケット２を設置する
（２）  その外周を透明強化ポリカーポナイト・アクリル板８等の円形固定コアー７で囲う
（３）  この円形固定コアー７の側板より夫々の色別区画内に吸着した吸盤付ファイバー接着パーツ１１と融着分岐ソケット１７及び、光ファイバースコープ１４により送光する
（４）  従来の商用電源照明用灯具に前述のセンターライト１２及び太陽光利用法によるハイバー光源によるファイバーライト２１を複合した併用灯具として設ける事で昼間の日照時間帯は省エネ用として使用し非日照時間帯には一般照明用灯具として兼用使用が可能となる尚、商用電源が停電した場合には、ソーラー電源・蓄電装置との連繋により一般家庭・各種住宅設備・避難時の非常灯として有効な設備となる
（５）  ファイバーライト２１の光源として太陽光に自動照準を合わせた多角面鏡レンズ２２の焦点集光器により採光照射する太陽光利用法で得たものを融着分岐で配光分岐・分配し乍ら光ファイバースコープ１４の端末部に接着した光コネクター等により受光する採光用ライトを単灯具として活用する
以上の構成からなるセンターライトエコンステム。
【手続補正２】
【補正対象書類名】明細書
【補正対象項目名】全文
【補正方法】変更
【補正の内容】
【考案の詳細な説明】
【技術分野】
【０００１】  本考案は、信号用灯具・一般照明器具・非常照明への光源として単なる商用電源によるランプ照明とせずランプ光束を一旦センターシールドカバー６を透過させたものを配光として光ファイバースコープ１４により各灯具毎へ配光させる光ファイバー光線による配光に開するものである。
【背景技術】
【０００２】  日常の一般照明・信号照明等に付いては、概ね商用電源による灯具であり配線も各灯具回路・系統別に接続されており、信号灯は色別系統ランプ毎に灯具を必要とし、その配線も多岐に亘って居り、非常灯も一般照明とは別設備としているのが現状である。
【考案の開示】
【考案が解決しようとする課題】
【０００３】  省エネを高効率化させる方策として光源をセンターライト１２として設けこれより採光したものを３色に変色させ乍ら光ファイバースコープ１４を経由して配光させる事で信号灯具の単灯具化を図る、これにより一交差点当たり概ね３４〜７０灯分を減灯させる事が可能となる、又従来の一般照明の一部分をセンターライト１２に置き換えて配光する事で、複数灯具に一括配光が可能となり非常用照明を兼用とした器具ともなる、尚、日照時間帯の太陽光採光を直接活用した灯具とする事でプロセスメリットを実現する事を目的とし乍ら前述の欠点を解決しようとするものである。
【課題を解決するための手段】
【０００４】  本考案は、センターライト１２を設けこの光線をセンターシールドカバー６に吸着させた着色帯リング４の着色フィルムｏｒ着色ステンドガラス３を透過させ乍らタイムサイクルに合わせてセットした可変速超低速シンクロナスモーター１５により回転する、この外周にアクリル板ｏｒ透明強化ポリカーポナイト８を使用した円筒形固定コアー７に吸盤付ファイバー接着パーツ１１を付着させ  これより融着分岐用、ソケット１７を経て光ファイバー１４で信号灯具に送光する、又、静止型の円筒形固定コアー７により各単独・併用灯具夫々に送光する、尚、緊急・災害等停電時には、自動切り替えでソーラー電源・蓄電装置との連繋により稼動をスムーズに行う、尚、多角面鏡レンズ２２による集光ライトによる配光も出来る即ち、トータル的な低コスト化を図ると共に、このことにより問題点を解決している。
【考案の効果】
【０００５】  従来は信号機を一交差点毎に３灯連結灯具又は２灯連結灯具を設置していたものをこれにこより一般道路・歩道用共夫々３灯連結用を１灯用灯具に削減が図れる又、一般住宅・集合住宅等の屋内・外照明設備費、及び、各種信号設備等の省資源・省エネ対策として効果的であり、消費電力はセンターライト１２のみで可能とする事になる即ち、現状は一交差点当たり１２〜１６〜２４連程度を基準として、各３色宛、ランプ数にして３６〜７２灯有るものを、おおよそ１／３以下程度迄に灯具数・ランプ数共大幅に減少出来るのでその維持費にも大幅な縮小が図れる、従ってシステム化装置として役立つものである。
上述したように本考案のもたらすメリットを下記に列記する、
ａ  取付灯具及び、ランプ数の削減により通常操作時における大幅な節電・省エネを図る事が出来る事となる、
ｂ  灯具の簡略化に伴なう支持物及び、建設に伴なう設備工事費等の大幅減となる
ｃ  ランニングコスト・メンテナンス費・維持費がかなり低減される
ｄ  トータルコストの低下とエネルギー等諸資源の有効活用による総合的な延命策となる、
ｅ  災害時・緊急時等の停電時に自動切り替えで対応ができる、
ｆ  日照時間帯における太陽光の受採光直接の活用でメリットが生まれる、
ｇ  エネルギー消費の低減による地球環境改善に寄与出来る
ｈ  消耗品等の延命にも繋がる国家的メリットが得られるものである
【考案を実施するための最良の形態】
【０００６】  室内の任意ケ所に設置した回転シールド付センターポスト内に光源としてセンターライト１２又は、フアイバーライト２１とした光フアイバースコープ１４配光による事で、従来の配線系統＋ランプによる事なく配光を照射出来る、尚、前記の基点位置に太陽光による日照集光器装置による直射光の取込とソーラー発電・蓄電装置を施設する事で、単灯具としての照明用の配光ライトｏｒ信号用ライトとして役立ち省エネ化が可能となる、尚、日照時間帯における太陽光の集光器装置による配光ライトは、センサー付ルクス計により光源のルクスレベルによって商用電源によるセンターライト１２と切り替える事で一定ルクスを保つ事が出来る、即ち、センターライト１２とフアイバーライト２１との併用器具の設置により一層至便となる、昼夜間の照明用として太陽光によるファイバーライト２１を専用器具として屋内外に施設する他、従来の一般照明灯具をファイバーライト２１との併用灯具に替えて配置する。【０００７】  一般道路・歩道のある交差点の基点位置に回転シールド付センターポストを施設して上記の光フアイバースコープ１４の配光により従来の色別信号連用灯具をセンターライト１２の信号単灯具に替えて、送光する事で信号灯とする。
【実施例１】
【０００８】  以下、添付図面に従って実施例を説明する、
従来の色別信号用連灯具に替えて単灯具とする、即ち、一般道路・歩道のある交差点の基点位置に回転シールド付センターポスト＆センターライト１２式とした光源を設ける、このポスト内に光源の周囲を走馬灯の様に回転する着色帯リング４を透過した配光ライトを光ファイバースコープ１４を経由して信号用単灯具へ送光する【０００９】センターポスト９内の固定ベース１上内に固定板１６を止めて可変速超低速シンクロナスモーター１０＆シャフト１５・軸受１３を中芯として配す、同心円上にセンターランプ＆ソケット２を複数取付安定させる、これを囲う様に回転する着色帯リング４及び透明強化ポリカーポナイトｏｒアクリル板８をベースに着色ステンドガラスｏｒ着色フイルム３等を透過させ乍らその外周を同心円として円筒形固定コアー７及び透明強化ポリカーポナイト８ｏｒアクリル板を上記円筒形固定コアー７の側壁に吸着させた吸盤付ファイバー接着パーツ１１及び、光ファイバースコープ１４・複数回線を経由して信号用単灯具へ配光する。
【実施例２】
【００１０】  以下、添付図面に従って実施例を説明する、
センターライト１２からの光束を光ファイバースコープ１４・複数回線を経由して円筒形固定センターポスト９及び、円筒形固定コアー７に吸着させた吸盤付ファイバー接着パーツ１１よりファイバーライト２１へ配光する即ち、最良好な条件とした集光を多眼レンズ仕様付２０単灯具へ送光しライト光線とする、尚、日照時間帯における太陽光を最適角度・朝・昼・夕陽方向で受けた、この光束を多角面鏡レンズ２２で集光してセットし、ファイバーライト２１を経由して信号用単灯具又は一般照明用単灯具・併用灯具へ配光する。
【実施例３】
【００１１】  以下、添付図面に従って実施例を説明する、
従来の一般照明灯具をファイバーライト単灯具＆併用灯具に替えて配置する即ち、静止型センターポスト内にセンターライト１２、及びファイバーライト２１とした光源を設ける太陽光を直接多角面鏡レンズ２２とした集光器採光装置ソーラー発電・蓄電装置を設備し、昼夜間の照明用としてファイバーライト２１、即ち、太陽光による併用灯具を屋内外に施設する。【００１２】回転シールド付センターポスト９内の固定ベース１上に固定坂１６を止めて同心円上にセンターランプ＆ソケット２を取付安定させる、
これを囲う様に円筒形固定コアー７とする透明強化ポリカーポナイト８ｏｒアクリル板を配す、上記円筒形固定コアー７の側壁に吸盤付ファイバー接着パーツ１１及び、光ファイバースコープ１４・複数回線を経由して単灯具・併用灯具へ配光する。
【図面の簡単な説明】
【００１３】
【図１】  本考案の実施形態を示す  回転シールド付センターポストの平面図
【図２】  本考案の実施形態を示す  回転シールド付センターポスト側面の断面図
【図３】  単灯具の平面図・正面図
【図４】  本考案の実施形態を示す  静止型センターポストの平面図・側面の断面図
【図５】  併用灯具の平面図・側面図・正面図
【図６】  単灯具の平面図・側面図・正面図
【図７】  太陽光受光部・平面図・側面図
【符号の説明】
【００１４】  １固定ベース                            円形
２センターランプソケット                円形    承口２〜３ケ等間隔
３着色フイルムｏｒ着色ステンドガラス    円筒形  青・赤・黄色
４着色帯リング                          円筒形  透明
５遮光用セパレート                      平板    遮光
６センターシールドカバー                円筒形  遮光
３・４・１１の透過性適用以外は
：全て不透明着色スモーク付
７円筒形固定コアー                      円筒形  遮光
８透明強化ポリカーポナイトｏｒアクリル板円筒形  透明
９固定センターポスト                    円筒形  遮光
１０可変速超低速シンクロナスモーター      同期回転機
１１吸盤付ファイバー接着パーツ            集光用  ファイバー用
１２センターライト                        円形    発光灯具２〜３灯等間隔
１３軸受                                  円形    鋼棒
１４光ファイバースコープ・複数回線        配光用  ファイバー用
１５シンクロナスモーターシャフト          シャフト  同期回転機
１６固定板                                円筒形    鋼板
１７融着分岐１〜８分岐ソケット            融着配光分岐  ファイバー用
１８ファイバーパーツ                      配光用    ファイバー用
Ｌ２・３・４・５・１５・２０・２５・３０ｍ
１９着色帯リングの回転方向
２０多眼レンズ仕様付単灯具                配光器具
２１ファイバーライト                      配光器具
２２多角面鏡レンズ・朝・昼・夕陽方向      太陽光受光用
２３センサー付ルクス計                    受光センサー
【手続補正３】
【補正対象書類名】図面
【補正対象項目名】全図
【補正方法】変更
【補正の内容】
【図１】
0003137509.tif 000015
【図２】
0003137509.tif 000016
【図３】
0003137509.tif 000017
【図７】
0003137509.tif 000018
【図４】
0003137509.tif 000019
【図５】
0003137509.tif 000020
【図６】
0003137509.tif 000021
【手続補正書】
【提出日】平成19年9月14日(2007.9.14)
【手続補正１】
【補正対象書類名】手続補正書
【補正対象項目名】手続補正３
【補正方法】変更
【補正の内容】
【手続補正３】
【補正対象書類名】図面
【補正対象項目名】全図
【補正方法】変更
【補正の内容】
【図１】
0003137509.tif 000022
【図２】
0003137509.tif 000023
【図３】
0003137509.tif 000024
【図４】
0003137509.tif 000025
【図５】
0003137509.tif 000026
【図６】
0003137509.tif 000027
【図７】
0003137509.tif 000028